(57)【要約】【課題】  一定の時間帯に放映されるテレビ番組の録画予約について、前回放映分の既存の録画データを利用しつつ、しかも視聴者が簡便な操作で次回の番組の放送時間に対応した時間でタイマー録画予約を行うことのできる記録再生装置を提供すること。【解決手段】  過去に録画された番組の録画データに基づき、次回の番組の録画に必要な録画開始時刻と録画終了時刻を、番組の冒頭部分や最後の部分がカットされないように、所定の時間、たとえば１５分未満の端数を自動的に補正する記録再生装置を提供する。【選択図】  図２
2005277757.tif 000002
【特許請求の範囲】
【請求項１】
録画した記録媒体から当該録画に係わるタイトル情報を読み取る手段と、
読み取られた当該タイトル情報から新規録画予約に必要な録画予約情報を選択する手段と、
読み取られた当該タイトル情報のうち少なくとも録画日付と録画開始時刻と録画終了時刻
とを含む録画予約情報からなる録画予約情報データを録画予約メニューとしてディスプレー画面に表示する手段と、
を有する記録再生装置。    
【請求項２】
録画した記録媒体から当該録画に係わるタイトル情報を読み取る手段と、
読み取られた当該タイトル情報から新規録画予約に必要な録画予約情報を選択する手段と、
読み取られた当該タイトル情報のうち第一の録画日付を第二の録画日付へと置換える置換え手段と、
当該第二の録画日付を含む録画予約情報からなる録画予約情報データを録画予約メニューとしてディスプレー画面に表示する手段と、
当該ディスプレー画面の録画予約メニューに表示された当該録画予約情報データをユーザー所望のデータに変更する手段と、
を有することを特徴とする請求項１に記載の記録再生装置。
【請求項３】
録画した記録媒体から当該録画に係わるタイトル情報を読み取る手段と、
読み取られた当該タイトル情報から新規録画予約に必要な録画予約情報を選択する手段と、
読み取られた当該タイトル情報のうち第一の録画開始時刻と第一の録画終了時刻とを第二の録画開始時刻と第二の録画終了時刻とへ補正する補正手段と、
当該第二の録画開始時刻と当該第二の録画終了時刻とを含む録画予約情報からなる録画予約情報データを録画予約メニューとしてディスプレー画面に表示する手段と、
当該ディスプレー画面の録画予約メニューに表示された当該録画予約情報データをユーザー所望のデータに変更する手段と、
を有することを特徴とする請求項１に記載の記録再生装置。
【発明の詳細な説明】
【技術分野】
【０００１】
ＤＶＤ等の記録媒体に既存録画されたタイトル情報に基づいてテレビのタイマー録画予約を容易に行うことのできる機能を有する記録再生装置に関する。
【背景技術】
【０００２】
従来から記録再生装置によりテレビのタイマー予約を簡易な方法で行う技術は幅広く普及している。また、連続ドラマのように毎週もしくは毎日、一定の時間帯に放映されるテレビ番組の録画予約については、前回放映分の既存の録画データを利用することにより、視聴者の録画予約に必要な入力操作の手間を最小限に抑えることを目的とする技術も多く開示されている。
【０００３】
しかしながら、初めて視聴する連続テレビ番組の途中で視聴者が録画を開始し、次回の番組の録画予約を行おうと思い立った場合に、次回以降の番組の録画予約のために今回視聴中の録画データを利用する従来の技術では、次回の録画開始時刻を今回の録画開始時刻と同じ時刻に設定してしまうので、次回の録画の番組冒頭部分がカットされてしまうという不都合があった。この不都合を回避するために、番組終了後、視聴者はタイマー録画画面を開いてタイマー録画に必要な通常の設定操作を行わなければならず、手間を要した。
【０００４】
特許文献１に開示された記録再生装置はビデオ装置を前提にしたものであるが、初めて視聴する連続テレビ番組の途中で視聴者が録画を開始し、次回の番組の録画予約を行おうと思い立った場合、番組終了と同時に録画停止操作を行った時点で、記録再生装置が視聴者に対して、「今回録画した番組を今後、毎週もしくは毎日、同時間帯でタイマー録画にするかどうか」という内容のメッセージを画面上に表示して視聴者の意思を確認すると同時に、タイマー録画予約の録画開始時刻を当該番組の本来の開始時刻に修正するためのステップを挿入することにより、先に説明した不都合を解消している。
【０００５】
また上記のケースとは別に、視聴者が録画しようとしている次回の番組の放送予定時間がなんらかの事情により前回録画した時間帯と異なる場合がある。このような場合は、従来のタイマー録画予約方法では対応ができず、視聴者はマニュアル操作によりタイマー録画画面を開いてタイマー録画に必要な通常の設定作業を行わなければならず、手間を要した。
【０００６】
特許文献２に開示された記録再生装置はビデオ装置を前提にしたものであるが、デジタル放送信号に含まれる最新の放送予定情報を検索することにより、視聴者が録画を希望している番組の放送時間が過去に録画した際と異なる場合でも、タイマー録画に必要な通常のマニュアルによる設定操作を必要とせず、正当なタイマー録画予約の設定を簡単な操作で行えるようにしたことにより、上記の不都合を解消している。
【０００７】
上記の工夫により、連続ドラマのように毎週もしくは毎日、一定の時間帯に放映されるテレビ番組の録画予約について、前回放映分の既存の録画データを利用しつつ、しかも視聴者が簡便な操作で次回の番組開始時刻に正確に対応する録画開始時刻によりタイマー録画予約を行えるようになった。
【０００８】
【特許文献１】特開２００２−２２３４１０号公報
【特許文献２】特開２００１−２５７９７４号公報
【発明の開示】
【発明が解決しようとする課題】
【０００９】
しかし、特許文献１に開示された記録再生装置では、視聴中の番組を視聴者が録画したときに、次回の番組のタイマー録画予約を希望するか否かを、当該視聴中の番組の録画終了の都度、リモコン等を使って記録再生装置に応答しなければならない。とくに次回の番組のタイマー録画予約を希望しない場合においても、視聴者はリモコンによる操作を余儀なくされるという不都合がある。さらに、視聴者が不在のときに放送されるテレビ番組の録画を希望するとき、視聴者は事前にタイマー録画予約を設定することにより、本人が不在でも所望の番組を録画することができるが、この場合、特許文献１に開示された記録再生装置では、録画終了時点で次回の番組のタイマー録画予約を希望するか否かの応答ができないという不都合がある。
【００１０】
一方、特許文献２は、現在録画中の番組の放送信号に含まれる最新の放送予定情報を当該記録再生装置に記憶させることにより、次回の番組の放送時間が現在録画中の番組の放送時間と異なる場合でも、正当なタイマー録画予約の設定を簡単な操作で行うことのできる記録再生装置を提供しているが、この工夫に不可欠な放送予定情報はデジタル放送信号にしか含まれておらず、現在まだ主流の座にあるアナログ放送については対象とならないという不都合がある。
【課題を解決するための手段】
【００１１】
本発明は、上記の課題を達成するために、録画した記録媒体から当該録画に係わるタイトル情報を読み取る手段と、読み取られた当該タイトル情報から新規録画予約に必要な録画予約情報を選択する手段と、読み取られた当該タイトル情報のうち少なくとも録画日付と録画開始時刻と録画終了時刻とを含む録画予約情報からなる録画予約情報データを録画予約メニューとしてディスプレー画面に表示する手段とを有する記録再生装置を提供し、かつ、録画した記録媒体から当該録画に係わるタイトル情報を読み取る手段と、読み取られた当該タイトル情報から新規録画予約に必要な録画予約情報を選択する手段と、読み取られた当該タイトル情報のうち第一の録画日付を第二の録画日付へと置換える置換え手段と、当該第二の録画日付を含む録画予約情報からなる録画予約情報データを録画予約メニューとしてディスプレー画面に表示する手段と、当該ディスプレー画面の録画予約メニューに表示された当該録画予約情報データをユーザー所望のデータに変更する手段とを有する上記の記録再生装置、および、録画した記録媒体から当該録画に係わるタイトル情報を読み取る手段と、読み取られた当該タイトル情報から新規録画予約に必要な録画予約情報を選択する手段と、読み取られた当該タイトル情報のうち第一の録画開始時刻と第一の録画終了時刻とを第二の録画開始時刻と第二の録画終了時刻とへ補正する補正手段と、当該第二の録画開始時刻と当該第二の録画終了時刻とを含む録画予約情報からなる録画予約情報データを録画予約メニューとしてディスプレー画面に表示する手段と、当該ディスプレー画面の録画予約メニューに表示された当該録画予約情報データをユーザー所望のデータに変更する手段とを有する上記の記録再生装置を提供するものである。
【発明の効果】
【００１２】
本発明により、連続ドラマのように毎週もしくは毎日、一定の時間帯に放映されるテレビ番組の録画予約について、アナログ放送・デジタル放送の別を問わず、前回放映分の既存録画データを利用しつつ、しかも視聴者が簡便な操作で次回の番組開始時刻または番組終了時刻に正確に対応する録画開始時刻によりタイマー録画予約を行うことのできる記録再生装置を提供することができる。
【発明を実施するための最良の形態】
【００１３】
本発明による具体的な実施例として、視聴中のテレビ番組をＤＶＤ−Ｒ／ＲＷ等の電子記録再生装置を使って、タイマー録画予約を行うケースにより説明する。図３は、電子記録再生装置１を含むＡＶ機器セットの構成を示すブロック図である。ディスクドライブ３は、ＤＶＤローダまたはＨＤＤを意味している。図３で、チューナで選局した放送局から送信される映像音声信号が外部入力されると、入力された映像音声信号はＭＰＥＧエンコーダによる処理を経て、制御用マイコン２による電子記録再生装置１の動作指示に基づき、ＴＶモニタへの画像出力、スピーカーへの音声出力、あるいはＤＶＤもしくはＨＤＤへの録画等、視聴者の所望するところに応じて多様な動作が行われる。
【００１４】
図４は、制御用マイコン２内部のブロック図を示している。ＡＴＡＰＩＩＦは、ディスクドライブからＤＶＤやＨＤＤの映像音声信号データをリードライトするとともに、ＤＶＤに録画されるタイトルごとの管理情報をリードライトするインターフェース装置である。なお、このタイトルごとの管理情報には、少なくとも、タイトル名、録画年月日、録画開始時刻、録画時間、録画チャンネル、録画モード、録画終了時間などのデータが含まれており、以下これを総括してタイトル情報と称する。管理情報取得部４は、所定のマイコンプログラムに従って、ＡＴＡＰＩＩＦが読み取ったタイトル情報を取得し、必要なデータを格納し、演算を行い、演算結果のデータを格納し、メニュー画面の作成を行うＧＵＩ作成部に必要なデータを供給する。
【００１５】
本発明においては、既に録画された過去のタイトル情報を活用して新規タイマー録画予約をするときに、メニュー画面の操作を極力簡略化することを狙いとするものである。したがって、既に録画された過去のタイトル情報から、いかにしてセットアップメニュー画面に週次などのタイマー録画予約の設定をデフォルトで実行させるかという点に力点が置かれている。
【００１６】
以下、本実施例の説明において、録画予約補正用一時レジスタと録画予約レジスタの二つのタイプのレジスタが登場する。録画予約補正用一時レジスタは、過去に録画されたタイトル情報を一時格納し、格納された過去の日付データ（年／月／日）を視聴者がタイマー録画予約をしようとしている現在日付データ（年／月／日）に置換している。さらにマイコンプログラムにより、当該録画予約補正用一時レジスタの置換後日付データ（年／月／日／時／分）と現在日付データ（年／月／日／時／分）とを比較することにより、当該録画予約補正用一時レジスタの置換後日付データ（年／月／日／時／分）が現在日付データ（年／月／日／時／分）に対して「過去」であれば、録画タイプのデフォルト値として本事例では「エブリーウィーク」をもたせるようにし、逆に、当該録画予約補正用一時レジスタの置換後日付データ（年／月／日／時／分）が現在日付データ（年／月／日／時／分）に対して「未来」であれば、視聴者がタイマー録画予約をしようとしている当日の録画である可能性もあるので、録画タイプのデフォルト値として「ワンス」をもたせている。一方、録画予約レジスタは、セットアップメニュー画面で視聴者が登録するための録画予約データを格納するレジスタである。
【実施例１】
【００１７】
実施例１として、視聴中のテレビ番組をＤＶＤ−Ｒ／ＲＷ等の電子記録再生装置を使い、ＤＶＤを電子記録媒体としてタイマー録画予約を行うケースを、図１に示すフローチャートに基づいて説明する。ＤＶＤに番組を録画した場合、当該ＤＶＤに、録画したタイトルごとのファーストフィールド、ラストフィールドが設けられ、それぞれのフィールドにタイトル名、録画年月日、録画開始時刻、録画チャンネル、録画モードなどのタイトル情報が格納される。なお、録画時間については、同じＤＶＤのファーストフィールド、ラストフィールドとは別の場所に格納されている。
【００１８】
視聴者が２００４年3月１０日（水）、２１：００〜２２：００に７チャンネルで放送される毎週１回放送予定の連続テレビ番組の初回放送分を視聴中、２１：０７になって当該連続テレビ番組を今回も含め次回以降毎週録画しようと思い立ち、２１：０７に視聴中の電子記録再生装置にＸＰモードで録画動作を開始させた。２２：００に当該番組が終了し、視聴者は２２：０１に当該電子記録再生装置に録画動作を終了させた。実際の録画時間は５４分である。この時点で、当該ＤＶＤに録画されたタイトルについて、ＤＶＤのファーストフィールドレジスタとラストフィールドレジスタのそれぞれに、録画年月日、録画開始時刻、録画チャンネル、録画モードなどのタイトル情報が格納されている。本事例によるファーストフィールドレジスタとラストフィールドレジスタへのタイトル情報の格納は、図５に示すとおりである。
【００１９】
翌日3月１１日（木）の２１：３０に、当該視聴者は、昨日３月１０日（水）の２１：０７から２２：０１まで録画した上記の連続テレビ番組の来週放送分のタイマー録画予約を思い立ち、昨日録画に使用したＤＶＤをディスクドライブ３に挿入し、リモコン等を使ってタイトルメニュー画面を開く。図６に示すのがこのタイトルメニュー画面の一例である。当該ＤＶＤは、過去に２回、別の番組を録画しているので、図６のタイトルメニュー画面には、昨日録画した番組１０を含めて３件の録画済みタイトルが表示される。
【００２０】
図１のＳ１００で、視聴者は、タイマー録画予約を行おうとしている番組のタイトルを、ＤＶＤに記録された３本のタイトルのなかからリモコン等を使って選択する。昨日録画した番組１０を選択すると、図７に示すように、選択した番組のタイトル情報１１が画面右に表示される。図７に示したように、タイトル情報に合わせてサムネイル画面１２も表示することができるので、過去に録画した番組の内容を知るうえで、使い勝手がよい。当該番組の次回放映分の録画撮りを決定した視聴者は、図７の当該番組のタイトル名１０をリモコン操作によりクリックすることで、図８のタイトルメニュー画面が表示される。
【００２１】
ここで視聴者が録画予約１３を選択すると、制御用マイコン２の管理情報取得部４は、図５に示すように当該ＤＶＤのファーストフィールドなどに記録されている当該録画済みのタイトル情報から、タイトル名、録画年月日、録画開始時刻、録画時間、録画チャンネル、録画モード、録画終了時刻などの録画予約情報を取得し、当該録画予約情報を管理情報取得部４内の録画予約補正用一時レジスタに格納する。当該録画予約補正用一時レジスタは図１０に示すような構造であり、録画年月日３１、録画開始時刻（３４、３５）、録画チャンネル３６、録画モード３７、録画時間３８、録画終了時刻（４４、４５）などのデータが格納されている。
【００２２】
Ｓ１０１で、管理情報取得部４は、当該録画予約補正用一時レジスタに格納された録画予約情報のうち年月日データ３１を現在日付（年月日）に置換する。本日は２００４年３月１１日（木）であるから、図１０の置換前の録画予約補正用一時レジスタの年月日３１と対比すると、置換後の録画予約補正用一時レジスタは図１１のように年月日４０のデータだけが本日日付に置換される。つぎにＳ１０２で、管理情報取得部４は、図１１の置換後の録画予約補正用一時レジスタの日付データ（年／月／日／時／分）を現在日付データ（年／月／日／時／分）と比較する。置換後の録画予約補正用一時レジスタの日付データ（年／月／日／時／分）５０は２００４年３月１１日２１時０７分であり、一方、現在日付データ（年／月／日／時／分）は２００４年３月１１日２１時３０分であるので、置換後の録画予約補正用一時レジスタの日付データ５０は現在日付データに対して「過去」の日付データであると、管理情報取得部４は判定する（Ｓ１０２の過去）。したがって、Ｓ１０５で、管理情報取得部４は録画タイプを「エブリーウィーク」としてデフォルト設定を行い、図１２に示すように録画予約レジスタに「エブリーウィーク」６０と格納し、Ｓ１０６で録画月日を次回の番組が放映される「３月１７日（水）」５１として録画予約レジスタに格納する。
【００２３】
ここで、昨日の３月１０日（水）に録画したときの実際の録画開始時刻を第一の録画開始時刻と呼び、同じく実際の録画終了時刻を第一の録画終了時刻と呼ぶことにし、タイマー録画予約に使われる録画開始時刻を第二の録画開始時刻、同じくタイマー録画予約に使われる録画終了時刻を第二の録画終了時刻と呼ぶことにする。第一の録画開始時刻は２１：０７（図１１の３４、３５）、第一の録画終了時刻は２２：０１（図１１の４４，４５）であり、これらのデータを使って次回のタイマー録画を実行すると、次回の番組の冒頭部分がカットされてしまう。この不都合を解消するために、以下のステップにより、タイマー録画予約の開始時刻および終了時刻について時刻補正を補正する。視聴者は予め当該時刻を補正するための補正設定値を設定することができ、本実施例では補正設定値を１５分刻みとし、第二の録画開始時刻および第二の録画終了時刻がいずれも０分、１５分、３０分、４５分のいずれかになるように設定しているが、特に補正設定値を設定しなくても格別の支障はない。
【００２４】
図１のＳ１０７で、管理情報取得部４は、まずタイマー録画予約に使用する録画開始時刻の補正を実施する。このときの詳細ステップを図２により説明する。Ｓ２０１で補正設定値の検証が行われる。本実施例では補正設定値を１５分刻みとしてある（Ｓ２０１の１５分）。Ｓ２０２のステップで、録画予約補正用一時レジスタに格納されている録画開始分（図１１の３５）を検索すると、７分であることがわかる。７分は１５分刻みの補正設定値ではないので（Ｓ２０４のＮｏ）、当該フロー図に記されたプログラムに沿って補正が行なわれる。本実施例の場合は、００＜Ｓｔａｒｔ＿Ｍｉｎｕｔｅｓ＜８の条件に該当するので、Ｓ２０５において録画開始分を０分に補正し、当該補正後の０分が録画予約レジスタの録画開始分（図１２の５５）に格納される。以上のステップにより、第一の録画開始時刻２１：０７（図１１の３４、３５）を第二の録画開始時刻２１：００（図１２の５４、５５）に補正することができる。
【００２５】
つぎに第一の録画終了時刻を第二の録画終了時刻に補正するステップが図１のＳ１０８である。このステップの動作自体は、先に説明したＳ１０７のステップと実質的に同じ構造であり、説明が重複するのでここでは割愛するが、録画終了時刻の補正については、その補正のベクトルが録画開始時刻の補正のベクトルと対向していることを付言しておく。それは、録画される番組の終了部分がカットされることを未然に防止するために、第二の録画終了時刻を第一の録画終了時刻よりも後に設定する必要があるからである。
【００２６】
図１のＳ１０９、Ｓ１１０のステップで、管理情報取得部４は、録画予約補正用一時レジスタに格納されている録画チャンネル（図１１の３６）と録画モード（図１１の３７）を録画予約レジスタの録画チャンネル（図１２の３６）と録画モード（図１２の３７）に格納することにより、最終的に図１２に示した録画予約レジスタが完成する。
【００２７】
この段階で、ＴＶモニタ等の画面に図９のセットアップメニューが表示され、ここで視聴者がＯＫを選択することにより、録画予約レジスタ（図１２）が保存され、視聴者所望のタイマー録画予約が終了する。なお当該セットアップメニュー画面で、視聴者が当該画面上に表示されている項目について、表示された内容を変更したい場合は、リモコン等を操作することにより、随時変更可能であることは言うまでもない。
【００２８】
本実施例では、３月１０日（水）２１：０７から２２：０１に録画された連続テレビ番組の次回放映分のタイマー録画予約を行おうと視聴者が思い立ったのが翌日３月１１日（水）２１：３０との想定で説明してきた。以下、視聴者が３月１１日（水）１０：００に次回放映分のタイマー録画予約を行おうと思い立ったという想定で説明すると、図１のＳ１０２のステップで、管理情報取得部４は、図１１の置換後の録画予約補正用一時レジスタの日付データ（年／月／日／時／分）を現在日付データ（年／月／日／時／分）と比較する。置換後の録画予約補正用一時レジスタの日付データ（年／月／日／時／分）５０は２００４年３月１１日２１時０７分であり、一方、現在日付データ（年／月／日／時／分）は２００４年３月１１日１０時００分であるので、置換後の録画予約補正用一時レジスタの日付データ５０は現在日付データに対して「未来」の日付データであると、管理情報取得部４は判定する（Ｓ１０２の未来）。したがって、Ｓ１０３で、管理情報取得部４は録画タイプを「ワンス」としてデフォルト設定を行い、最終的に図１３のセットアップメニュー画面が表示される。視聴者が当該画面上に表示されている項目について、表示された内容を変更したい場合は、リモコン等を操作することにより、随時変更可能であることは言うまでもない。
【実施例２】
【００２９】
実施例１では、過去に少なくとも１本以上のタイトルを録画した履歴のある第一のＤＶＤを記録媒体として説明したが、ここでは購入したばかりでまだ１本もタイトルを録画していない第二のＤＶＤを記録媒体として使用する場合について説明する。先ず第一のＤＶＤを電子記録再生装置１のディスクドライブ３にセットし、タイトルメニュー画面（図６）でタイマー録画予約をしたい番組１０を選択し（図７）、続いて動作指示画面（図８）で録画予約１３を選択すると、実施例１で説明したように、マイコンプログラムが当該第一のＤＶＤのタイトル情報を抽出して、当該タイトル情報を一旦マイコン２内部の管理情報取得部４に蓄積する。そして実施例１で説明したと同じマイコンプログラムにより、蓄積された当該タイトル情報に基づき、録画予約補正用一時レジスタ（図１１）が作成される。ここで、ディスクドライブ３にセットされた第一のＤＶＤを取り出し、代わりに第二のＤＶＤをセットしたうえで、画面に表示されているセットアップメニュー画面（図９）に従って録画予約を完了することができる。
【実施例３】
【００３０】
実施例１および実施例２では、いずれも電子記録媒体としてＤＶＤを使用して説明したが、ここではＤＶＤではなくＨＤＤを電子記録媒体として使用する場合について説明する。ＨＤＤも、ＤＶＤと同様に、タイトルごとにファーストフィールドレジスタとラストフィールドレジスタを保有しているので、実施例１で説明したステップとまったく同じ手順で、簡易なタイマー録画予約が可能である。タイトル情報の格納場所が、ＤＶＤの場合はＤＶＤであるのに対し、ＨＤＤの場合は電子記録再生装置１であることが唯一の相違点であるに過ぎない。
【００３１】
以上の実施例においては、タイマー録画予約を実行する際に、録画タイプのデフォルト設定をエブリーウィークとワンスとして説明したが、これを翌日とかエブリデイなど視聴者のニーズに合わせて適宜変更することは可能である。
【００３２】
なお、図２のＳ２０５ないしＳ２１０のステップでの録画開始時刻または録画終了時刻の補正については、本実施例ではデフォルトの補正設定値を１５分刻みとしたが、このデフォルト設定は視聴者が任意に変更することができる。また、補正設定値のデフォルト設定は、録画開始時刻と録画終了時刻のそれぞれについて設定することができる。したがって、本実施例で図９のセットアップメニュー画面に表示された録画終了時刻２２：１５を、録画終了時刻のデフォルト設定を視聴者が変更することにより、２２：００とさせることも可能である。
【図面の簡単な説明】
【００３３】
【図１】本発明の実施例の動作を示すフローチャート
【図２】録画開始時刻および録画終了時刻を補正する動作を示すフローチャート
【図３】本発明の実施例に係わるＡＶ機器セットのブロック図
【図４】制御用マイコンのブロック図
【図５】実施例１のファーストフィールドレジスタに格納されたタイトル情報の模式図
【図６】タイトルメニュー画面
【図７】タイトルメニューの他の画面
【図８】動作指示画面
【図９】セットアップメニュー画面
【図１０】録画予約補正用一時レジスタ
【図１１】録画予約補正用一時レジスタ
【図１２】録画予約レジスタ
【図１３】セットアップメニュー画面
【符号の説明】
【００３４】
１  電子記録再生装置
２  制御用マイコン
３  ディスクドライブ
４  管理情報取得部
３１  録画年月日
３４            録画開始時
３５  録画開始分
３６  録画チャンネル
３７            録画モード
３８            録画時間
３９            録画終了時刻
４０            現在時間置換後録画年月日
４４            録画終了時
４５  録画終了分
５０  現在日付置換後録画年月日時間
５１            録画予約月日
５２            録画開始時刻
５３            録画終了時刻
６０  録画タイプ
【図１】
2005277757.tif 000003
【図２】
2005277757.tif 000004
【図３】
2005277757.tif 000005
【図４】
2005277757.tif 000006
【図５】
2005277757.tif 000007
【図６】
2005277757.tif 000008
【図７】
2005277757.tif 000009
【図８】
2005277757.tif 000010
【図９】
2005277757.tif 000011
【図１０】
2005277757.tif 000012
【図１１】
2005277757.tif 000013
【図１２】
2005277757.tif 000014
【図１３】
2005277757.tif 000015